(57)【要約】      （修正有）【課題】構成が簡単であり単にサイズの異なるマットを組み合わせて連結していくだけで容易に敷き詰める場所の広さに合わせることができるジョイントマットを提供する。【解決手段】ジョイントマット１、７又は８と他のジョイントマット１、７又は８と連結するために、各ジョイントマットはマット本体２の角部に角部連結爪３、各辺に第１の連結爪５と第２の連結爪６からなる辺連結爪４を有する。第１の連結爪５は根元よりも先端部のほうが広く形成され且つ角部連結爪３に隣接して２個連続して形成されている。第２の連結爪６は根元よりも先端部のほうが狭く形成され且つ２個連続する第１の連結爪５と、他の２個連続する第１の連結爪５との間に１個形成されている。角部連結爪３は他のジョイントマット１、７又は８の角部連結爪３と連結したとき連結した２個の角部連結爪３と３が一体となって第２の連結爪６と同一の形状を形成する。【選択図】図１
0003189102.tif 000002
【実用新案登録請求の範囲】
【請求項１】
マット本体の角部と各辺に、他のジョイントマットと連結するための連結爪を有するジョイントマットにおいて、
前記角部の角部連結爪と前記各辺の辺連結爪とはそれぞれ前記マット本体と一体に該マット本体から水平に張り出して形成されており、
前記辺連結爪は、
張り出した形状の根元よりも先端部のほうが広く形成された第１の連結爪と、
張り出した形状の根元よりも先端部のほうが狭く形成された第２の連結爪と、
を有し、
前記第１の連結爪は、前記角部連結爪に隣接して２個連続して形成され、
前記第２の連結爪は、２個連続する前記第１の連結爪と、他の２個連続する前記第１の連結爪との間に１個形成され、
前記角部連結爪は、他のジョイントマットの前記角部連結爪と連結したとき、連結した２個の前記角部連結爪が一体となって前記第２の連結爪と同一の形状を形成する、
ことを特徴とするジョイントマット。
【考案の詳細な説明】
【技術分野】
【０００１】
本考案は、ジョイントマットに関わり、特に構成が簡単であり単にサイズの異なるマットを寸法のみ合うように組み合わせて連結していくだけで容易に敷き詰める場所の広さに合わせることができるジョイントマットに関する。
【背景技術】
【０００２】
従来、フロアーの状況に応じて、巧く並べて敷きつめることができるとともに、隣接するマット同士がずれ動かない足用マットが提案されている。（例えば、特許文献１参照。）
【０００３】
この足用マットは、マット本体裏面の少なくとも一側縁に沿って設けられた係合部材と、マット本体の他側縁から出没自在でマット本体の他側縁から突出状態となったとき、他のマットの係合部材と係合し、マット同士を連結状態にする被係合部材とを備えている。
【先行技術文献】
【特許文献】
【０００４】
【特許文献１】特開平１１−００９４２４号公報
【考案の概要】
【考案が解決しようとする課題】
【０００５】
しかしながら、特許文献１の技術は、一側縁に沿って設けられた係合部と、他側縁に他のマットの係合部と係合するために設けられた被係合部との構成が異なるため、合わせる向きを考えながら連結する必要があって使い勝手が悪いという問題がある。
【０００６】
本考案は、上記従来の課題を解決するものであって、構成が簡単であり単にサイズの異なるマットを寸法のみ合うように組み合わせて連結していくだけで容易に敷き詰める場所の広さに合わせることができるジョイントマットを提供することを目的とする。
【課題を解決するための手段】
【０００７】
上記課題を解決するために、本考案のジョイントマットは、マット本体の角部と各辺に、他のジョイントマットと連結するための連結爪を有するジョイントマットにおいて、上記角部の角部連結爪と上記各辺の辺連結爪とはそれぞれ上記マット本体と一体に該マット本体から水平に張り出して形成されて、上記辺連結爪は、張り出した形状の根元よりも先端部のほうが広く形成された第１の連結爪と、張り出した形状の根元よりも先端部のほうが狭く形成された第２の連結爪と、を有し、上記第１の連結爪は、上記角部連結爪に隣接して２個連続して形成され、上記第２の連結爪は、２個連続する上記第１の連結爪と、他の２個連続する上記第１の連結爪との間に１個形成され、上記角部連結爪は、他のジョイントマットの上記角部連結爪と連結したとき、連結した２個の上記角部連結爪が一体となって上記第２の連結爪と同一の形状を形成する、ように構成される。
【考案の効果】
【０００８】
本考案は、構成が簡単であり単にサイズの異なるマットを寸法のみ合うように組み合わせて連結していくだけで容易に敷き詰める場所の広さに合わせることができるジョイントマットを提供することができる。
【図面の簡単な説明】
【０００９】
【図１】(a),(b),(c)は、本考案の実施例１に係るジョイントマットの各種のサイズがある中の３例を示す図である。
【図２】本考案の実施例１に係るジョイントマットの使用例を示す図である。
【考案を実施するための形態】
【００１０】
以下、本考案の実施の形態について、図面を参照しながら詳細に説明する。
【００１１】
図１(a),(b),(c)は、本考案の実施例１に係るジョイントマットの各種のサイズがある中の３例をす図である。図１(a)に示すジョイントマット１は、正四角形のジョイントマットとしては最小判のジョイントマットである。
【００１２】
図１(a)に示すように、ジョイントマット１は、マット本体２と、マット本体２の角部に形成された角部連結爪３と、各辺に形成された辺連結爪４とを備えている。辺連結爪４は第１の連結爪５と、第２の連結爪６とで構成されている。
【００１３】
これらの連結爪は、それぞれマット本体２と一体にマット本体２から水平に張り出して形成されている。辺連結爪４の張り出し長さａは、例えば２ｃｍ（センチメートル）であり、このジョイントマット１の水平に張り出している連結爪を含めた外形寸法ｂは、一辺が例えば３０ｃｍである。
【００１４】
図１(b)に示すジョイントマット７は、中判のジョイントマットである。この場合も、ジョイントマット７は、マット本体２と、マット本体２の角部に形成された角部連結爪３と、各辺に形成された辺連結爪４とを備えている。辺連結爪４は第１の連結爪５と、第２の連結爪６とで構成されている。
【００１５】
これらの連結爪は、それぞれマット本体２と一体にマット本体２から水平に張り出して形成されている。この場合も、辺連結爪４の張り出し長さａは、例えば２ｃｍである。また、ジョイントマット７の水平に張り出している連結爪を含めた外形寸法ｃは、一辺が例えば４４ｃｍである。
【００１６】
図１(c)に示すジョイントマット８は、大判のジョイントマットである。この場合も、ジョイントマット８は、マット本体２と、マット本体２の角部に形成された角部連結爪３と、各辺に形成された辺連結爪４とを備えている。辺連結爪４は第１の連結爪５と、第２の連結爪６とで構成されている。
【００１７】
これらの連結爪は、それぞれマット本体２と一体にマット本体２から水平に張り出して形成されている。この場合も、辺連結爪４の張り出し長さａは、例えば２ｃｍである。また、ジョイントマット８の水平に張り出している連結爪を含めた外形寸法ｄは、一辺が例えば５８ｃｍである。
【００１８】
図１(a),(b),(c)を見て分かるように、第１の連結爪５は、張り出した形状の根元よりも先端部のほうが広く形成されている。また、第２の連結爪６は、張り出した形状の根元よりも先端部のほうが狭く形成されている。
【００１９】
そして、第１の連結爪５は、角部連結爪３に隣接して２個連続して形成されいる。他方、第２の連結爪６は、２個連続する第１の連結爪５と、他の２個連続する第１の連結爪５との間に１個形成されている。
【００２０】
図２は、本考案の実施例１に係るジョイントマットの使用例を示す図である。図２に示す連結されたマット９は、図１に示した最小判のジョイントマット１を３個、中判のジョイントマット７を４個、大判のジョイントマット８を２個使用して、長方形の連結されたマット９を形成している。
【００２１】
図２に示すように、角部連結爪３は、他のジョイントマットの角部連結爪３と連結したとき、連結した２個の角部連結爪３と３が一体となって第２の連結爪６と同一の形状を形成する。
【００２２】
このジョイントマット１、７又は８の構成により、本例のジョイントマットは、構成が簡単であり単にサイズの異なるマットを寸法のみ合うように組み合わせて連結していくだけで容易に敷き詰める場所の広さに合わせた「連結されたマット」を構成することができる。
【産業上の利用可能性】
【００２３】
本考案は、構成が簡単であり単にサイズの異なるマットを寸法のみ合うように組み合わせて連結していくだけで容易に敷き詰める場所の広さに合わせることができるジョイントマットに利用することができる。
【符号の説明】
【００２４】
１  ジョイントマット
２  マット本体
３  角部連結爪
４  辺連結爪
５  第１の連結爪
６  第２の連結爪
７、８  ジョイントマット
９  連結されたマット
【図１】
0003189102.tif 000003
【図２】
0003189102.tif 000004